(57)【要約】本発明は、血液検出ボリューム（２２０；３１０）に放射線を向けるための手段（１０４、１０８；３０６、３０４；３２０；３２２；３２６；３３８）、前記血液検出ボリュームからの戻りの放射線を入力するための手段（１０４、１０８；３０６、３０４；３２０；３２２；３２６；３３２；３３４；３３０；３３８）、及び少なくとも１つの血液の特性を決めるための前記戻りの放射線を分析するための手段に、前記戻りの放射線を送信するための手段（１０４；３０６；３３０）を有するカテーテルヘッドに関する。
2006524091.tif 000002
【特許請求の範囲】
【請求項１】
−血液検出ボリュームに放射線を向けるための手段、
−前記血液検出ボリュームからの戻りの放射線を入力するための手段、及び
−血液の少なくとも１つの特性を決めるために前記戻りの放射線を分析するための手段に、前記戻りの放射線を送信するための手段
を有するカテーテルヘッド。
【請求項２】
前記血液検出ボリュームにレーザー照射を誘導し、分光分析するための前記手段に送信するためのラマン散乱した放射線を入力するための光波ガイドを持つ請求項１に記載のカテーテルヘッド。
【請求項３】
前記光波ガイドの前に対物レンズを持つ請求項１又は２に記載のカテーテルヘッド。
【請求項４】
ハウジング及び前記ハウジングの内部に置かれる前記検出ボリュームをさらに有する請求項１、２又は３に記載のカテーテルヘッドにおいて、前記検出ボリュームは前記ハウジングの空隙の内部に置かれ、前記ハウジングは前記空隙内に血流を流すことを可能にするための開口部を持つカテーテルヘッド。
【請求項５】
血液が前記血液検出ボリュームを介し伝わるためのチャンネル手段をさらに有し、好ましくは、細長い形状を持つハウジングをさらに有する請求項１、２、３又は４に記載のカテーテルヘッドにおいて、前記ハウジングにおいて前面に開口部及び側面に開口部が形成され、前記前面の開口部及び側面の開口部は前記チャンネル手段により接続されているカテーテルヘッド。
【請求項６】
前記血液検出ボリュームがハウジングの内部に置かれ、前記ハウジングは前記血液検出ボリューム内に血液を流すことを可能にする開口部、及び赤血球及び／又は白血球が前記血液検出ボリュームに進入することを防ぐためのメッシュ部を持つ請求項１乃至５の何れか一項に記載のカテーテルヘッド。
【請求項７】
レーザー照射の反射が血液検出ボリュームに戻るための球形ミラーをさらに有し、好ましくは楕円形ミラーをさらに有する請求項１乃至６の何れか一項に記載のカテーテルヘッドにおいて、前記血液検出ボリュームは前記楕円形ミラーの一方の焦点を有するカテーテルヘッド。
【請求項８】
前記光波ガイドのディスタルエンドは、前記楕円形ミラーの他方の焦点に置かれ、前記楕円形ミラーの内部にある血液検出ボリュームに血液を通すための手段をさらに有する請求項７に記載のカテーテルヘッド。
【請求項９】
ハウジング内においてミラーにより形成される空隙をさらに有する請求項１乃至８の何れか一項に記載のカテーテルヘッドにおいて、前記血液検出ボリュームは、前記光波ガイドのディスタルエンドの近くに置かれるカテーテルヘッド。
【請求項１０】
半球形状の空隙を持つ請求項１乃至９の何れか一項に記載のカテーテルヘッドにおいて、前記空隙の球形側は、前記レーザー照射及び前記ラマン散乱された放射線のためのミラーとして作用するために、被覆されているカテーテルヘッド。
【発明の詳細な説明】
【技術分野】
【０００１】
本発明は、カテーテル及びカテーテル手法の撮像システムの分野に関する。
【背景技術】
【０００２】
カテーテル手法は、大幅に減少した患者の不安、入院及び医療費用における効果的且つ高品質のサービスを提供する。非常に小さな切開部を介して脈管系に侵入し、人間の身体内にあるターゲット領域に治療用又は診断用のデバイスを移動させる機能をしばしば必要とする。できるだけ小さな円形の断面である場合、カテーテルは介入手順に広く用いられる最も重要なデバイスである。他の如何なる形式の介入デバイスよりも、カテーテルは形状及び特殊な特徴において大きく異なっている。各カテーテルはその目的のために設計され、それ自身の特徴及び形状を備える他のカテーテルとは異なっている。
【０００３】
ここで使用されるカテーテルという用語は、如何なる形式の侵襲的な手術ツールを指し、これは、ある形式の調査及び／又は医療手順を実行するために身体の一部にリモートアクセスを提供することを目的に、人間又は動物の身体に挿入するのに用いられる。
【０００４】
米国特許番号6,208,887B1は、被験者の病巣を検出するための、カテーテルにより送られる低解像度のラマン散乱分析システムを示す。このシステムは、生体内で病巣のラマン分光測定を行う際、カテーテルに取り付けられるマルチモードのレーザーを使用する。このシステムは、病巣の存在を示す分光パターンを測定するための検出器だけでなく、集光器及び光散乱要素も含んでいる。さらに、病巣の構成要素もこの病巣の各構成要素に関連する特有のラマン分光に基づいて特定されることもできる。
【０００５】
さらに、人間又は動物の身体内にあるカテーテルを遠隔に配置する及びトラッキングするための様々なカテーテルトラッキング技術が従来技術から知られている。現在、Ｘ線蛍光透視撮像は、標準的なカテーテルトラッキング技術である。例えば、フィリップス社のCath-Labシステムは、カテーテル手法(catherisation)中に手術を監視するためのＸ線撮像を提供する(http://www.medical.philips.com/main/products/cardiovascular/)。
【０００６】
例えば、カテーテルに基づく手術において、細長いプラスチックの管が鼠蹊部又は腕部にある動脈に挿入される。医師はこのとき、大動脈を介し心臓へカテーテルを導く。心臓カテーテル手法中、以下のような、
−少量のコントラスト染料がカテーテルを介し注入され、このコントラストがＸ線を用いて血管及び心室又は弁を見ることを可能にする、
−心室内の圧力が測定される、
−血液中の酸素及び二酸化炭素の濃度が局所的に測定される、及び
−心臓内の電気信号が測定される、すなわち印加された電気信号に対する反応が決められる
ような診断測定が行われる。
【０００７】
カテーテルに基づく処置は、
−血管を局所的に広げるためのＰＴＣＡ(percutane transluminale coronaire angioplasty)、及び
−血管内に血管内プロテーゼ(endovascular prosthese)の配置
を含んでいる。
【０００８】
通例、カテーテル手法中、様々な医療パラメタ、例えば心臓の振動数、血圧又はその他が測定及び監視される。この医療情報は患者の身体の状態を永続的に監視するのに必須である。
【０００９】
これにより、カテーテル手法中、患者の身体の状態の改善された監視を可能にするカテーテルヘッドが必要である。
【発明の開示】
【発明が解決しようとする課題】
【００１０】
本発明は、放射線を血管検出ボリュームに向けて、血管検出ボリュームから戻ってくる戻り放射線を分析することにより、生体内での少なくとも１つの血管特性の決定を可能にするカテーテルヘッドを提供することである。
【００１１】
例えば、このカテーテルヘッドは、例えばレーザー照射又は赤外線照射のような放射線をカテーテルヘッドの前に置かれる血管検出ボリュームに誘導するための光波ガイドを持つ。代わりに、この血管検出ボリュームは、カテーテルヘッドの内部にある注入口又は空隙内に置かれるか、又は他の適切な場所に置かれることができる。血管検出ボリュームから反応して戻ってくる放射線は、前記カテーテルヘッドによりキャプチャされ、分析器に送られる。戻りの放射線の分析に基づいて、血液の少なくとも１つの特性が決められる。
【課題を解決するための手段】
【００１２】
本発明の好ましい実施例によれば、ラマン分光法が利用される。レーザー照射は、カテーテルヘッドの前に又は内部に置かれる血液検出ボリュームに向けられる。結果生じるラマン散乱された放射線は、血液の特性を１つ以上決めるために、このラマン分光を分析するための分光器に送られる。
【００１３】
ラマン分光法は、光の分子の非弾性散乱に基づいている。この散乱処理において、光子と分子との間にエネルギーが転移され、この光の波長のシフトが生じる。この波長のシフトに対応するエネルギーは、分子の振動状態のエネルギー差に等しい。
【００１４】
十分大きな波長範囲においてラマン信号を検出することにより、複数の分子状態のエネルギーが計算されることができる。このエネルギーの組み合わせが各分子に対し固有であるため、ラマン分光は分子種(molecular species)のフィンガプリントと考えることができる。例えば、グルコース又は乳酸塩のような血液の分析対象物は、ラマン分光法を用いて検出されることができる。これら分析対象物は、患者の健康に関する一般的及び特別な情報を提供する。
【００１５】
本発明に従ってラマンプローブをカテーテルに組み込むことは、手術中の患者の医学的状態の改善された監視をカテーテル手法中に永続的に血液の分析が行われる利点を持つ。例えば、この診断ツールは、以下の目的、
−例えば酸素化又は乳酸塩の測定により患者の健康を連続して監視することにより、カテーテル手法の手順を監視する目的、及び
−局部的な血液の組成を測定する目的
のためのカテーテル手法中に用いられる。
【００１６】
これを従来の血液分析と比べてみると、血液はニードルを用いて腕部から抜き取られ、血液のサンプルは、化学検査室において分析される。この分析及び輸送にはかなりの時間を要し、通常は２日、緊急事態では２０分の間を変動する。対照的に、本発明は、患者の医学的状態に関する最新の情報を医師に供給する血液の特性を常に監視することが可能である。
【００１７】
本発明の好ましい実施例によれば、光波ガイドを用いた共焦のラマン分光法が用いられる。ラマン励起したレーザーからの光は、光ファイバに取り込まれ、この光ファイバはカテーテルに組み込まれる。カテーテルヘッドにおいて、前記光ファイバからの光は、レンズにより集められ、検出エリアに焦点合わせされる。ラマン散乱された光は、同じ対物レンズにより集められ、光ファイバに戻される。このファイバの終点は、共焦検出を補償するためのピンホールとして利用される。
【００１８】
他の好ましい実施例によれば、２つの別個の光ファイバ、つまり血液検出ボリュームに入射光を送信するための光ファイバと、戻りの放射線のための光ファイバが用いられる。
【００１９】
本発明の他の好ましい実施例によれば、ラマン散乱された放射線をできるだけ多く集めるために、高い開口数（ＮＡ）を持つレンズが用いられる。この集められたラマン光は、光ファイバを逆戻りし、検出される分析対象物の定量的な濃度測定をもたらすために、分光分析器により検出される。
【００２０】
本発明の他の好ましい実施例によれば、検出ボリュームにある赤血球及び／又は白血球の数は、光の吸収及び散乱を減少させるために、減少する。例えば、シャッター構造を持つメッシュ部がこの目的のために使用されることができる。
【００２１】
本発明の好ましい実施例の他のグループによれば、ラマン散乱された放射線の収集効率を高めるために光学素子が用いられる。これは球形又は楕円形ミラーを用いることにより行うことができる。
【００２２】
実施例の他の好ましいグループによれば、血液検出ボリュームは、血液が流れるカテーテルヘッドの空隙に置かれる。この検出ボリュームを通る血液の流れを強めるために、カテーテルヘッドを通る血液チャンネルは、ピトー管効果を利用するように配置されることができる。
【００２３】
ラマン効果の代わりとして、他の分光技術が用いられることができる。例えば、これは、血液検出ボリュームに向けられる赤外線を用いて行われることができる。この例において、戻りの放射線は、この赤外線の強さの変化を検出する赤外線吸収分光法を用いて分析される。
【００２４】
本発明の他の好ましい実施例によれば、蛍光分光法が用いられる。この例において、分子を励起し誘導される蛍光を放出するために、レーザービーム又は他の種類の放射線が血液検出ボリュームに向けられる。これら検出される蛍光は、血液の特性の少なくとも１つを検出するためのベースを形成する。
【００２５】
本発明の他の好ましい実施例によれば、弾性散乱分光法が用いられる。この場合、血液の分析を行うために反射率のばらつきが使用される。
【００２６】
本発明は、如何なる特定の分光技術に制限されるのではなく、如何なる形式の光学分光法にも使用されることができることに注意すべきである。これは、
（ｉ）赤外線分光法、特に赤外線吸収分光法、フーリエ変換赤外（ＦＴＩＲ）分光法、及び近赤外線（ＮＩＲ）拡散反射分光法、
（ｉｉ）散乱分光技術、特にラマン分光法、誘導ラマン分光法、ＣＡＲＳ(coherent anti-Stokes Raman spectroscopy)、蛍光分光法、多光子蛍光分光法及び反射分光法、並びに
（ｉｉｉ）光音響分光法、偏光及びポンププローブ分光法のような他の分光技術、
を含んでいる。本発明に対するアプリケーションに好ましい分光技術は、ＩＲ吸収分光法及び蛍光分光法である。
【００２７】
本発明の他の好ましい実施例によれば、カテーテルヘッドは例えばラマン分光分析、赤外線吸収分光分析、散乱分光分析及び蛍光分光分析のような分光分析を行うのに合った戻りの放射線を分析するための手段を持っている。
【００２８】
本発明の他の好ましい実施例によれば、関心のあるボリュームに向けられる放射線は、戻りの放射線を供給するために、分子に振動散乱を生じさせるように選択される。例えば、この放射線はレーザー照射又は赤外線である。
【００２９】
本発明の他の好ましい実施例によれば、遠隔操作が可能なシャッターがメッシュ部の前に置かれる。このメッシュ部は赤血球及び／又は白血球が検査ボリューム内に進入するのを防ぐサイズである。
【００３０】
本発明の他の好ましい実施例によれば、ミラーが放射線及び／又は戻りの放射線に用いられ、このミラーは球形ミラー又は楕円形ミラーである。
【００３１】
本発明の他の好ましい実施例によれば、カテーテルヘッドは、血液検出ボリュームにレーザー照射を向けるための第１の光波ガイドと、分光分析をするための手段に送信するためのラマン散乱された放射線を入力するための第２の光波ガイドとを持つ。
【００３２】
本発明の他の好ましい実施例によれば、前記第１の光波ガイドは励起光路を決め、前記第２の光波ガイドは検出光路を決め、本実施例はさらにこれら励起光路及び検出光路を減結合する手段を有する。
【００３３】
本発明の他の実施例によれば、カテーテルヘッドは検出光路におけるレーザー照射をフィルタ除去するための手段を持つ。
【００３４】
他の態様において、本発明はカテーテルヘッドを持つカテーテルシステムに関し、このカテーテルシステムは、カテーテルヘッドをラマンレーザー源及び分光分析するための手段に結合するための少なくとも１つの光波ガイドを有する。
【００３５】
さらに他の態様において、本発明はカテーテルシステムを有すると共に、分光分析により検出される血液特性を表示するための表示手段を持つ、カテーテル手法に対する撮像システムに関する。
【発明を実施するための最良の形態】
【００３６】
以下に、本発明の好ましい実施例が図を参照することによりより詳細に説明される。
【００３７】
図１は、カテーテルヘッド１０２を持つカテーテルシステム１００を示す。カテーテルヘッド１０２はカテーテル１０６を通り延在する光ファイバ１０４を有する。さらに、カテーテルヘッド１０２は放射線を検査ボリュームに向け、ラマン散乱した放射線を集めるための対物レンズ１０８を持つ。
【００３８】
光ファイバ１０４は光ファイバ１１０に結合されている。光ファイバ１１０は、ラマン励起したレーザー１１４により供給されるレーザービーム１１２を、コネクタ１１６を介し光ファイバ１０４へ伝える。レーザービーム１１２は、対物レンズ１０８を介して検出ボリュームに向けられる。ラマン散乱された放射線は、対物レンズ１０８により集められ、光ファイバ１０４に取り込まれる。
【００３９】
このラマン散乱した放射線は、光ファイバ１０４、コネクタ１１６、光ファイバ１１０を通りミラー１１８に伝わり、そこから、ラマン散乱した放射線１２０はラマン分光分析器１２２に供給される。ラマン分光分析器１２２は、ブドウ糖、グリコヘモグロビン(glycohemoglobin)、乳酸塩(lactate)、ビリルビン(bilirubin)、コレステロール、トリグリセド、ヘモグロビン及び血液ガスの濃度のような血液特性を１つ以上決めるために、この入力されるラマン散乱した放射線１２０のスペクトルを分析する。
【００４０】
さらに、例えばＰＴＣＡ又はその他（例えば米国特許番号US5,938,582又はUS6,302,866）のようなカテーテル手法の目的に依存して、様々な他のカテーテル入力１２４が、コネクタ１１６及びカテーテル１０６を介してカテーテルヘッド１０２に接続されることもできる。通常、各アプリケーションはそれ自身専用のカテーテルを必要とするのに対し、幾つかの機能は特別に設計されたカテーテルに組み合わされることができる。
【００４１】
図２は、手術中における図１のカテーテルシステム１００のカテーテルヘッド１０２を示す。カテーテルヘッド１０２は、カテーテル１０６を用いて血管２００内に挿入されている。レーザービームは、光ファイバ１０４を介し、対物レンズ１０８により定められる共焦の検出ボリューム２０２に向けられる。ラマン放射線は、対物レンズ１０８により集められ、光ファイバ１０４に取り込まれる共焦の検出ボリューム２０２を流れる血液により逆に散乱される。
【００４２】
図３から図１３は、図１及び図２に示されたような形式のカテーテルシステムに用いるためのカテーテルヘッドの様々な好ましい実施例を示す。
【００４３】
図３は、図１及び図２のカテーテルヘッド１０２とほぼ同等のカテーテルヘッド３００を示す。カテーテルヘッド３００は対物レンズ３０４を収容するための開口部を備える細長いハウジング３０２を持つ。光ファイバ３０６（例えば図１及び図２の光ファイバ１０４）は、対物レンズ３０４を介し共焦の検出ボリューム３１０に向けられるレーザー照射をカテーテル３０８を介して伝えるのに役立つ。検出ボリューム３１０から、対物レンズ３０４の方向に逆に散乱されたラマン放射線は、ラマン分光分析器（例えば図１のラマン分光分析器）に送信するための光ファイバ３０６に戻される。しかしながら、前記ハウジングの細長い形は、本発明にとって必須ではないことを注意すべきである。
【００４４】
図４から図１２の以下の好ましい実施例において、同様な要素は、図３と同じ参照番号により示される。
【００４５】
図４の実施例において、空隙３１２がハウジング３０２に形成される。ハウジング３０２に形成される開口部を通り、血液がこの空隙３１２に流入することができる。共焦の検出ボリューム３１０は、空隙３１２の内部に置かれる。ここで考えられる実施例において、対物レンズ３０４が空隙３１２の側壁の一つに配される。このようにして、カテーテルヘッド３００が血管を介して移動するので、対物レンズ３０４の表面は、血管の壁による汚れから守られる。
【００４６】
図５の実施例において、メッシュ部３１４は空隙３１２の開口部において血管に向いて配される。メッシュ部３１４は赤血球及び／又は白血球をフィルタリング除去する。メッシュ３１４が閉じられる場合、血漿だけが空隙３１２に進入してくる。これは赤血球及び／又は白血球によって、ラマンレーザー光及びラマン信号の吸収及び散乱を減少させる。
【００４７】
赤血球及び／又は白血球をフィルタリング除去するために、５ミクロンより小さいメッシュサイズが選択される。
【００４８】
さらに、シャッター３１６がメッシュ３１４の前に置くことができる。これは、カテーテルヘッド３００が血管を介して移動している間にメッシュが汚れるのを防ぐ。シャッター３１６は遠隔操作され、血流が空隙３１２を通ることを可能にするために、血液を測定する前にだけ開かれる。
【００４９】
図６の実施例において、血液チャンネル３１８がハウジング３０２に形成され、このハウジング３０２は、カテーテルヘッド３００を介し、共焦の検出ボリューム３１０を通過する血液の流れを可能にする。これは、対物レンズ３０４の表面が汚れるのを防ぎ、検出ボリューム３１０を通る血液の流れが同時に強められる利点を持つ。
【００５０】
チャンネル３１８は、カテーテルヘッド３００を貫通する管を用いて実現される。代わりに、カテーテルヘッド３００の側面に沿う溝を用いることも可能である。図７の好ましい実施例において、ピトー管効果を用いて、血流がさらに強められる。この目的のために、チャンネル３１８は、ハウジング３０２の前面に１つの開口部及びハウジング３０２の側面に１つの開口部を持つ。このようにして、チャンネル３１８及び検出ボリューム３１０を通る血流を強めるハウジング３０２に沿って血液が流れる場合、付加的な圧力差が作られる。
【００５１】
図８の好ましい実施例において、球形ミラー３２０が対物レンズ３０４の反対側に置かれる。検出ボリューム３１０は、対物レンズ３０４と球形ミラー３２０との間にある空隙３１２内に置かれる。対物レンズ３０４を介し検出ボリューム３１０に向けられるレーザー光は、球形ミラー３２０により検出ボリューム３１０に逆に反射される。結果として、ラマン散乱は２回、つまり本来のレーザービームに対し１回及び反射したレーザービームに対し１回起こる。さらにラマン散乱された放射線も球形ミラー３２０により反射され、対物レンズ３０４により集められる。結果として、感度及びラマン信号の対ノイズ比が大幅に増大する。
【００５２】
図９の実施例において、楕円形ミラー３２２がハウジング３０２内に置かれる。光ファイバ３０６のディスタルエンド(distal end)３２４が楕円形ミラー３２２の一方の焦点に置かれる。検出ボリューム３１０は、楕円形ミラー３２２の他方の焦点に置かれる。楕円形ミラー３２２内を延在し、楕円形ミラー３２２が血液で完全に溢れるのを防ぐ空隙３１２を通り検出ボリューム３２０に血液が流れる。
【００５３】
図１０の実施例において、ミラー３２６はハウジング３０２における開口部３２８を介して血液で完全に満たされている。ミラー３２６は楕円形ミラー又は球形ミラーとすることができる。本実施例において、検出ボリューム３１０は光ファイバ３０６の口(orifice)に置かれる。
【００５４】
図１１の好ましい実施例において、検出ボリューム３１０にレーザー照射を誘導する、及びラマン分光分析器（例えば図１のラマン分光分析器１２２）にラマン散乱した放射線を逆に送信するためのそれぞれ別個の光ファイバ３０６及び３３０が用いられる。ラマン散乱された放射線は、減結合する(decoupling)ための対物レンズ３０４に垂直な対物レンズ３３２により集められる。代わりに、他の角度が使用されることもできる。このようにして、光ファイバ３３０に取り込まれるレーザー光の量は減少する。光ファイバ３３０内のレーザー光をさらに減少させるために、光ファイバ３３０と対物レンズ３３２との間にフィルタ３３２が置かれ、励起波長を抑える。これは、ラマン散乱された放射線が蛍光により重畳されない利点を持つ。
【００５５】
ラマン励起したレーザービーム及びラマン散乱された放射線の戻りのビームの両方に対し単一の光ファイバだけしか用いられない場合、励起したレーザービームがこの光ファイバに、幾らかの量の蛍光を作ることが問題である。この蛍光はラマン信号の信号対ノイズ比に悪影響を及ぼす。非常に低い強さの戻りのラマンビームは戻りの光ファイバ３３０において蛍光を作らないので、ラマン励起したレーザービームと戻りのビームとを減結合することにより、この問題は解決される。結果として信号対ノイズ比は、単一の光ファイバだけを使用する実施例と比較して、改善される。
【００５６】
図１２は、ラマン励起したレーザービームと戻りのビームとを減結合した他のやり方を示す。ダイクロイックミラー４４０は、ラマン励起したレーザービームの光路に位置決めされる。このラマン励起したレーザービームの波長、例えば７８５ｎｍにおいて、ダイクロイックミラー４４０は透過性である。
【００５７】
ダイクロイックミラー４４０がラマン散乱された放射線の波長、例えば８００ｎｍから１０００ｎｍで反射性となるので、このラマン散乱された放射線はダイクロイックミラー４４０から反射される。ダイクロイックミラー４４０は、ラマン散乱された放射線をミラー４４２に反射する。このミラーをダイクロイックとすることも可能である。ミラー４４０からのラマン散乱された放射線は光ファイバ３３０に取り込まれる。少なくともダイクロイックミラー４４０はラマン励起したレーザービームに対し透過性であるので、このラマン励起したレーザービームは光ファイバ３３０に取り込まれない又はほんの少ししか取り込まれない。
【００５８】
図１３の実施例において、ハウジング３０２に配される血液チャンネル３３６は、検出ボリューム３１０の周りに半球形状３３８を持つ。光ファイバ３０６の口は、この半球形状３３８の平坦な側の中心に置かれる。この半球形状は、反射性の被覆物で覆われ、球形ミラーとして作用する。チャンネル３３６の管状部の直径は、血液の吸収を制限するためにできるだけ低くする。ピトー型の管形式を再び使用する場合、血流が高められる。
【００５９】
図１４は、画像データを取得するためのＸ線装置４０２を持つ撮像システム４００を示す。Ｘ線装置４０２は、画像データを処理するための撮像装置４０４に結合される。この撮像装置４０４の出力は、ディスプレイユニット４０６に取り込まれる。このような撮像システムはカテーテル手法を監視するための従来技術から知られている。従来の撮像システムに加え、カテーテルシステム１００（例えば図１）が撮像装置４０４に結合されている。血液分析データは、撮像装置４０４により生成され、ディスプレイ４０６上に表示される画像にまとめられる。このようにして、執刀者は、画像データ及び患者の身体の状態の改善された監視をするための化学的な分析データの両方を供給される。
【符号の説明】
【００６０】
１００  カテーテルシステム
１０２  カテーテルヘッド
１０４  光ファイバ
１０６  カテーテル
１０８  対物レンズ
１１０  光ファイバ
１１２  レーザービーム
１１４  ラマン励起したレーザー
１１６  コネクタ
１１８  ミラー
１２０  ラマン散乱された放射線
１２２  ラマン分光分析器
１２４  カテーテル入力部
２００  血管
２０２  検出ボリューム
３００  カテーテルヘッド
３０２  ハウジング
３０４  対物レンズ
３０６  光ファイバ
３０８  カテーテル
３１０  検出ボリューム
３１２  空隙
３１４  メッシュ
３１６  シャッター
３１８  チャンネル
３２０  球形ミラー
３２２  楕円形ミラー
３２４  ディスタルエンド
３２６  ミラー
３２８  開口部
３３０  光ファイバ
３３２  対物レンズ
３３６  フィルタ
３３８  半球形ミラー
４４０  ダイクロイックミラー
４４２  ミラー
４００  撮像システム
４０２  Ｘ線装置
４０４  撮像装置
４０６  表示ユニット
【図面の簡単な説明】
【００６１】
【図１】本発明のカテーテルシステムのブロック図。
【図２】血管における図１のカテーテルシステムのカテーテルヘッドの説明図。
【図３】カテーテルヘッドの実施例。
【図４】カテーテルヘッドの実施例。
【図５】カテーテルヘッドの実施例。
【図６】カテーテルヘッドの実施例。
【図７】カテーテルヘッドの実施例。
【図８】カテーテルヘッドの実施例。
【図９】カテーテルヘッドの実施例。
【図１０】カテーテルヘッドの実施例。
【図１１】カテーテルヘッドの実施例。
【図１２】カテーテルヘッドの実施例。
【図１３】カテーテルヘッドの実施例。
【図１４】カテーテル手法のための撮像システムのブロック図。
【図１】
2006524091.tif 000003
【図２】
2006524091.tif 000004
【図３】
2006524091.tif 000005
【図４】
2006524091.tif 000006
【図５】
2006524091.tif 000007
【図６】
2006524091.tif 000008
【図７】
2006524091.tif 000009
【図８】
2006524091.tif 000010
【図９】
2006524091.tif 000011
【図１０】
2006524091.tif 000012
【図１１】
2006524091.tif 000013
【図１２】
2006524091.tif 000014
【図１３】
2006524091.tif 000015
【図１４】
2006524091.tif 000016
【国際調査報告】
2006524091.tif 000017
2006524091.tif 000018
2006524091.tif 000019